(57)【要約】【課題】  潜像画像の視認性を向上することで真偽判別性が優れるとともに、意匠性を備えた潜像画像形成体を提供することを目的とする。【解決手段】  本発明は、主画像部、主画像部の一部に投影的な形状で隣接する影画像部、主画像部及び影画像部の背景に背景部を有する。この３つ部には、凹又は凸形状を有する第１の要素が、第１のピッチで、それぞれ異なる位相で複数配置されて成り、更に基材と異なる色の第２の要素が、第２のピッチで複数配置されて成る。真上から観察した場合は第２の要素のみが観察され、傾けた際に、潜像画像に投影的な形状の影画像が現れ立体的に観察できる。【選択図】  図２０
2020097147.tif 000002
【特許請求の範囲】
【請求項１】
基材の少なくとも一部に、潜像画像が形成されて成る潜像画像形成体であって、
前記潜像画像は、主画像部、影画像部及び背景部を有し、前記影画像部は前記主画像部の少なくとも一部に、投影的な形状を成して隣接するように配置されており、
前記主画像部、前記影画像部及び前記背景部は、凹又は凸形状を有する第１の要素が、第１の方向に第１のピッチで、それぞれ異なる位相で複数配置され、かつ、前記影画像部の位相は、前記主画像部の位相に対して同一方向にずれて成り、
前記主画像部、前記影画像部及び前記背景部には、前記基材と異なる色の第２の要素が、前記第１の方向と同じ又は異なる第２の方向に前記第１のピッチで複数配置されて成り、
前記潜像画像を真上から観察した場合、前記第２の要素のみが観察され、
前記潜像画像を所定の角度に傾けて観察した場合、前記主画像、前記影画像及び前記背景画像の視認濃度が異なり、所定の観察位置に対応して、前記影画像が投影的に見える位置に現れ立体的に観察されることを特徴とする潜像画像形成体。
【請求項２】
前記潜像画像は、更に連結部を有して成り、
前記第１の要素は、前記主画像用の第１の要素、前記影画像用の第１の要素及び前記背景画像用の第１の要素から成り、
前記主画像用の第１の要素と前記影画像用の第１の要素の間に前記連結部用の第１の要素を有し、前記影画像用の第１の要素と前記背景画像用の第１の要素の間に前記連結部用の第１の要素を有し、
前記潜像画像を所定の角度に傾けて観察した場合、前記主画像、前記影画像及び前記背景画像とは濃度差が生じ、前記潜像画像が多階調に観察されることを特徴とする請求項１記載の潜像画像形成体。
【請求項３】
前記主画像部、前記影画像部及び前記背景部には、前記基材と異なる第１の色を有する第２の要素と、前記基材及び前記第１の色とは異なる第２の色を有する第２の要素が、前記第１のピッチで交互に複数配置され、
前記潜像画像を所定の角度に傾けて観察した場合、前記主画像、前記影画像及び前記背景画像が異なる色に観察されることを特徴とする請求項１記載の潜像画像形成体。
【発明の詳細な説明】
【技術分野】
【０００１】
本発明は、銀行券、旅券、株券、商品券、収入印紙、各種チケット、その他の有価証券等に適用する潜像画像形成体に関するものである。
【背景技術】
【０００２】
近年のスキャナ、プリンタ、複写機等のデジタル機器の進展により、貴重印刷物の精巧な複製物を容易に作製することが可能となってきている。このため、銀行券、旅券、株券、商品券、収入印紙、各種チケット、その他の有価証券等は、金銭的価値を有するため、高度な偽造防止技術や真偽判別技術を付与することが求められている。
【０００３】
これらの偽造防止技術及び真偽判別技術の代表例としては、特殊インキによる印刷、ホログラム、スレッド、微小文字の印刷、すき入れ、潜像画像の埋込み技術等が挙げられる。特に、潜像画像の埋込み技術は、印刷面に対して真上から観察した場合に潜像画像は視認できないが、傾けて観察することで潜像画像が出現するため、専用の機器を必要とせず、人間の目視で容易に真偽判別できるため、多くの貴重印刷物に採用されている。この技術は、例えば、凹版印刷物の画線構成を利用して潜像画像を形成する技術や基材の凹凸とインキを組み合わせて潜像画像を形成する技術が挙げられる。
【０００４】
凹版印刷物の画線構成を利用して潜像画像を形成する技術としては、印刷基材上に縦画線及び横画線の一方で潜像部を凹版印刷で形成し、他方で背景部を凹版印刷で形成し、印刷面に対して真上から観察した場合には潜像部と背景部を区分けして確認し難いが、傾けて観察した場合に凹版画線の特徴であるインキ盛りの影響によって、潜像部と背景部に濃度差が生じて潜像画像が顕在化する技術が開示されている（例えば、特許文献１参照）。
【０００５】
基材の凸部とインキを組み合わせて潜像画像を形成する技術としては、印刷素材と同色又は近似した色の各種万線模様又はレリーフ模様及びそれら双方の模様のいずれかの隆起した画線と、隆起した画線の色と異なった他の有色の一定な間隔を持つ各種万線画線又は網点画線、及びそれら双方の画線のいずれかを組み合わせることによって、ある特定の方向から観察する場合にのみ、潜像画像が認識できるようにした偽造防止用潜像印刷物が開示されている（例えば、特許文献２参照）。
【０００６】
次に、基材の凹凸とインキを組み合わせて潜像画像を形成する技術としては、部分的に角度を異にすることによって図柄を表した各種万線模様又はレリーフ模様のいずれか少なくとも一つの模様をエンボスによって形成された凹凸形状を有する素材に、一定な間隔を持つ各種万線画線又は網点画線のいずれか少なくとも一つを前述の凹凸形状の図柄以外の部分を構成する部分に対して平行又は傾斜を持たせて印刷した特殊潜像模様形成体であって、特殊潜像模様形成体は、印刷面に対して真上から観察した場合に潜像画像は視認できないが、傾けて観察することで潜像画像が視認でき、その視認の有無によって真偽判別を行うことができる技術が開示されている（例えば、特許文献３参照）。
【０００７】
さらに、基材の凹凸とインキを組み合わせて潜像画像を形成する技術としては、潜像部、輪郭部、背景部を設けて、各部の凸部の位相を変えることで潜像画像の周辺に輪郭画像を加える技術が開示されている（例えば、特許文献４参照）。
【０００８】
また、凹版印刷物の画線構成を利用して潜像画像に影画像を設ける技術としては、潜像画像、影画像及び背景画像の各領域に対して、凹版画線の方向を変えることで、所定の視点で観察した場合に、潜像画像が立体的に観察できる技術が開示されている（例えば、特許文献５参照）。
【先行技術文献】
【特許文献】
【０００９】
【特許文献１】特公昭５６−１９２７３号公報
【特許文献２】特許第２６０００９４号公報
【特許文献３】特許第２６１５４０１号公報
【特許文献４】特許第５０６２６４５号公報
【特許文献５】特許第５５９９１２４号公報
【発明の概要】
【発明が解決しようとする課題】
【００１０】
しかしながら、特許文献１は、縦画線及び横画線の一方で潜像部を形成し、他方で背景部を形成しているため、印刷面に対して真上から観察した場合に潜像画像が視認されてしまう問題があった。
【００１１】
また、特許文献１、２及び３の技術は、印刷物を傾けて観察した場合に、潜像部と背景部が異なる色で視認されるが、二階調である単純な濃度差のみによる真偽判別方法であるため、より高度な真偽判別方法が求められていた。
【００１２】
さらに、特許文献１、２、３及び４の潜像画像又は輪郭画像は、単純な平面画像のみの真偽判別であるため、より潜像画像の視認性及び意匠性に優れた平面画像以上の高度な真偽判別方法が求められていた。
【００１３】
さらに、特許文献４は、潜像画像を設ける配置エリアが小さい場合、潜像画像の周辺の輪郭画像は、十分な領域を確保できないため、輪郭画像は視認しにくいこと、また、輪郭画像を設ける分、主画像である潜像画像自体の面積が小さくなり、潜像画像の視認性が低下することから、設計する上でより自由度が高い構成が求められていた。
【００１４】
また、特許文献５の構成は、単純な盛り上がった画線のみで形成するため、構造が単純であり偽造が容易なことから、偽造抵抗力の向上が求められていた。また、特許文献１と同様に盛り上がった黒色系の画線の方向を変えて構成するため、光源の方向によっては光を反射し、潜像画像が視認されてしまうという課題があった。この課題を解消するために、カモフラージュ画線を追加する方法があるが、画線構成が密になるため、潜像画像形成体が暗くなるため、より色彩の自由度が高い構成が求められていた。
【００１５】
そこで、本発明は、前述した課題の解決を目的とするものであり、従来よりも潜像画像の視認性を向上することで真偽判別性が優れるとともに意匠性を備えた潜像画像形成体を提供することを目的とする。
【課題を解決するための手段】
【００１６】
本発明の潜像画像形成体は、基材の少なくとも一部に、潜像画像が形成されて成る潜像画像形成体であって、潜像画像は、主画像部、影画像部及び背景部を有し、影画像部は主画像部の少なくとも一部に、投影的な形状を成して隣接するように配置されており、主画像部、影画像部及び背景部は、凹又は凸形状を有する第１の要素が、第１の方向に第１のピッチで、それぞれ異なる位相で複数配置され、かつ、影画像部の位相は、主画像部の位相に対して同一方向にずれて成り、主画像部、影画像部及び背景部には、基材と異なる色の第２の要素が、第１の方向と同じ又は異なる第２の方向に第１のピッチで複数配置されて成り、潜像画像を真上から観察した場合、第２の要素のみが観察され、潜像画像を所定の角度に傾けて観察した場合、主画像、影画像及び背景画像の視認濃度が異なり、所定の観察位置に対応して、影画像が投影的に見える位置に現れ立体的に観察されることを特徴とする。
【００１７】
本発明の潜像画像形成体は、潜像画像が、更に連結部を有して成り、第１の要素は、主画像用の第１の要素、影画像用の第１の要素及び背景画像用の第１の要素から成り、主画像用の第１の要素と影画像用の第１の要素の間に連結部用の第１の要素を有し、影画像用の第１の要素と背景画像用の第１の要素の間に連結部用の第１の要素を有し、潜像画像を所定の角度に傾けて観察した場合、主画像、影画像及び背景画像とは濃度差が生じ、潜像画像が多階調に観察されることを特徴とする。
【００１８】
本発明の潜像画像形成体は、主画像部、影画像部及び背景部に、基材と異なる第１の色を有する第２の要素と、基材及び第１の色とは異なる第２の色を有する第２の要素が、第１のピッチで交互に複数配置され、潜像画像を所定の角度に傾けて観察した場合、主画像、影画像及び背景画像が異なる色に観察されることを特徴とする。
【発明の効果】
【００１９】
本発明の潜像画像形成体は、印刷面に対して真上から観察した場合に潜像画像は視認できないが、印刷面を傾けて観察した場合に影画像を備えた潜像画像が視認できる。つまり、従来の技術は、潜像画像が平面画像による真偽判別であったが、本発明の潜像画像は、主画像に加えた影画像が濃度差をもって視認できるため、主画像が第１の面、影画像が第２の面として奥行きを感じて立体感を有し、かつ、意匠性に優れた潜像画像として視認できるため、容易に真偽判別ができる。
【００２０】
また、本発明の潜像画像形成体は、主画像、影画像及び背景部がそれぞれ異なった濃度で視認できるため、潜像画像も多階調となり、意匠性に優れるとともに潜像画像の視認性に優れ、容易に真偽判別することができる。
【００２１】
さらに、本発明の潜像画像形成体は、主画像、影画像及び背景部のそれぞれの凸部の位相を異ならせて構成するため、凸構成が複雑となることで偽造防止性が向上する。
【００２２】
また、本発明の潜像画像形成体は、真上から見ても潜像画像の隠蔽性が高く、かつ、凸部と万線のコントラストがあれば、万線の色彩を自由に選択できるため、設計上の自由度が高い。
【００２３】
また、本発明の潜像画像形成体の影画像は、主画像の後方に重ねて設けることができるため、専用の領域を必要とせず、配置エリアが小さい場合でも設計が容易である。
【図面の簡単な説明】
【００２４】
【図１】第１の要素の凸部の平面図である。
【図２】図１の断面図（Ｘ−Ｘ´）である。
【図３】図２の斜視図である。
【図４】第１の要素の凸部と第２の要素の万線を組み合わせた視認濃度が高い平面図である。
【図５】図４の断面図（Ｘ−Ｘ´）である。
【図６】図５の斜視図である。
【図７】図６を所定の視点（Ｓ１）から観察した図である。
【図８】第１の要素の凸部と第２の要素の万線を組み合わせた視認濃度が中レベルの平面図である。
【図９】図８の断面図（Ｘ−Ｘ´）である。
【図１０】図９の斜視図である。
【図１１】図１０を所定の視点（Ｓ１）から観察した図である。
【図１２】第１の要素の凸部と第２の要素の万線を組み合わせた視認濃度が低い平面図である。
【図１３】図１２の断面図（Ｘ−Ｘ´）である。
【図１４】図１３の斜視図である。
【図１５】図１４を所定の視点（Ｓ１）から観察した図である。
【図１６】凸部と万線の位相を変えた場合の視認濃度を示す図である。
【図１７】本発明の実施形態を示す図である。
【図１８】本発明の第１の潜像形成体を示す図である。
【図１９】図１８の拡大図である。
【図２０】図１９の斜視図である。
【図２１】図２０を所定の視点（Ｓ１）から観察した図である。
【図２２】本発明の潜像形態体の凸部の形態を示す図である。
【図２３】本発明の潜像形態体の影画像の形態を示す図である。
【図２４】本発明の潜像形態体の影画像の配置を示す図である。
【図２５】本発明の潜像形態体の主画像、影画像及び背景画像の視認濃度を示す図である。
【図２６】本発明の第２の潜像形成体を示す拡大図である。
【図２７】図２６の凸部のみの斜視図である。
【図２８】図２６の斜視図である。
【図２９】図２７を所定の視点（Ｓ１）から観察した図である。
【図３０】本発明の第３の潜像形成体を示す拡大図である。
【図３１】図３０の斜視図である。
【図３２】図３０を所定の視点（Ｓ１）から観察した図である。
【図３３】本発明の第４の潜像形成体を示す拡大図である。
【図３４】図３３の斜視図である。
【図３５】図３３を所定の視点（Ｓ１）から観察した図である。
【発明を実施するための形態】
【００２５】
本発明を実施するための形態について、図面を参照して説明する。しかしながら、本発明は、以下に述べる形態に限定されるものではなく、特許請求の範囲記載における技術的思想の範囲内であれば、その他の様々な実施形態が含まれる。
【００２６】
（本発明の第１の着想）
まず、本発明の「第１の着想」は、第１の要素である基材に形成した基材と同一色の万線状の凸部（Ｔ）と、第２の要素である基材と異なる色の万線（Ｍ）を組み合わせることで、所定の視点で観察した場合に視認濃度をコントロールできることであり、図１〜図１９で説明する。
【００２７】
（視認濃度が高い形態）
まず、所定の視点で観察した場合に、第２の要素の万線の色が高い濃度で視認できる例を説明する。図１は、基材（１）に形成する第１の要素の凸部（Ｔ）の平面図である。凸部（Ｔ）は、基材（１）の一方の面に設け、規則的に万線状に配置している。また、それぞれの凸部（Ｔ）は隣接しており、凸部（Ｔ）の幅（ＴＷ）と凸部（Ｔ）のピッチ（ＴＰ）は同一であり、配置する方向も同一である。なお、凸部（Ｔ）は、一方の斜面（Ｔａ）と他方の斜面（Ｔｂ）を備えている。
【００２８】
次に、図２は、図１に示す基材（１）の断面図（Ｘ−Ｘ´）である。このとき、それぞれの凸部（Ｔ）の高さ（ＴＨ）は同一である。また、図３は、図２に示す基材（１）の斜視図であり、凸部（Ｔ）が隣接して規則的に配列されていることが分かる。
【００２９】
次に、図４は、第１の要素と第２の要素を組み合わせた状態を示す平面図であり、図１の基材（１）に形成した凸部（Ｔ）に、基材（１）と異なる色の万線（Ｍ）を規則的に印刷している。このとき、万線（Ｍ）の幅（ＭＷ）は、凸部（Ｔ）の幅（ＴＷ）の１／２であり、万線（Ｍ）のピッチ（ＭＰ）は、凸部（Ｔ）のピッチ（ＴＰ）と同一である。また、万線（Ｍ）は、凸部（Ｔ）の一方の斜面（Ｔａ）に重なるように配置している。
【００３０】
図５は、図４に示す基材（１）の断面図（Ｘ−Ｘ´）であり、凸部（Ｔ）の一方の斜面（Ｔａ）全体に万線（Ｍ）が重なっている。図６は、図５に示す基材（１）の斜視図であり、凸部（Ｔ）が隣接し規則的に配列され、凸部（Ｔ）の一方の斜面（Ｔａ）に万線（Ｍ）が重なっていることが分かる。
【００３１】
このとき、図５及び図６に示す凸部（Ｔ）の一方の斜面（Ｔａ）の角度と同じ視点（Ｓ１）から観察した場合、図７に示すように、万線（Ｍ）の色が高い濃度で視認できる。一方、凸部（Ｔ）の他方の斜面（Ｔｂ）の角度と同じ視点（Ｓ２）から観察した場合は、万線（Ｍ）の色は視認できず、基材の色のみが視認できる（図示せず）。なお、基材（１）を真上から観察した場合は、万線（Ｍ）が規則的に視認できる。
【００３２】
（視認濃度が中レベルの形態）
次に、所定の視点で観察した場合に、第２の要素の万線（Ｍ）の色が中レベルの濃度で視認できる例を説明する。前述した視認濃度が高い構成と、基材（１）に形成する凸部（Ｔ）の構成は同一であるため、説明は省略する。
【００３３】
図８は、第１の要素と第２の要素を組み合わせた状態を示す平面図であり、前述した図４の視認濃度が高い形態の万線（Ｍ）の位置は同一とし、凸部（Ｔ）は、図１の基材（１）に形成した凸部（Ｔ）と比較して、凸部（Ｔ）の幅（ＴＷ）の１／４位相θを変えて配置している。この結果、万線（Ｍ）は、凸部（Ｔ）の一方の斜面（Ｔａ）に１／２、他方の斜面（Ｔｂ）に１／２分割して重なる。
【００３４】
図９は、図８に示す基材（１）の断面図であり、万線（Ｍ）は、凸部（Ｔ）の一方の斜面（Ｔａ）に１／２、他方の斜面（Ｔｂ）に万線（Ｍ）の１／２が重なっている。
【００３５】
図１０は、図９に示す基材（１）の斜視図であり、万線（Ｍ）は、凸部（Ｔ）が隣接し規則的に配列され、万線（Ｍ）は、凸部（Ｔ）の一方の斜面（Ｔａ）に１／２、他方の斜面（Ｔｂ）に１／２が重なっていることが分かる。
【００３６】
このとき、図９及び図１０に示す凸部（Ｔ）の一方の斜面（Ｔａ）の角度と同じ視点（Ｓ１）から観察した場合、図１１に示すように、万線（Ｍ）の色が中レベル（視認濃度が高い形態と比較すると１／２の視認濃度）で視認できる。なお、凸部（Ｔ）の他方の斜面（Ｔｂ）の角度と同じ視点（Ｓ２）から観察した場合も同様に視認できる（図示せず）。また、基材（１）を真上から観察した場合は、万線（Ｍ）が規則的に視認できる。
【００３７】
（視認濃度が低い形態）
次に、所定の視点で観察した場合に、第２の要素の色が低い濃度で視認できる例である。前述した視認濃度が高い構成と、基材（１）に形成する凸部（Ｔ）の構成は同一であるため、説明は省略する。
【００３８】
図１２は、第１の要素と第２の要素との組み合わせ状態を示す平面図であり、前述した図４の視認濃度が高い形態の万線（Ｍ）の位置は同一とし、凸部（Ｔ）は、図１の基材（１）に形成した凸部（Ｔ）と比較して、凸部（Ｔ）の幅（ＴＷ）の１／２分位相を変えて配置している。このため、前述した視認濃度が高い形態と異なる凸部（Ｔ）の斜面（Ｔｂ）に重なるように配置している。
【００３９】
図１３は、図１２に示す基材（１）の断面図（Ｘ−Ｘ´）であり、凸部（Ｔ）の他方の斜面（Ｔｂ）に万線（Ｍ）が重なっている。図１４は、図１３に示す基材（１）の斜視図であり、凸部（Ｔ）が隣接し規則的に配列され、凸部（Ｔ）の一方の斜面（Ｔｂ）に万線（Ｍ）が重なっていることが分かる。
【００４０】
このとき、図１３及び図１４に示す凸部（Ｔ）の一方の斜面（Ｔａ）の角度と同じ視点（Ｓ１）から観察した場合、図１５に示すように、万線（Ｍ）の色は視認できず、基材の色のみが視認できる。一方、凸部（Ｔ）の他方の斜面（Ｔｂ）の角度と同じ視点（Ｓ２）から観察した場合は、万線（Ｍ）の色が高い濃度で視認できる（図示せず）。
【００４１】
したがって、万線（Ｍ）の位置を固定し、基材（１）に形成した凸部（Ｔ）の配置を異ならせることで、所定の視点（Ｓ１）で観察した場合に、万線（Ｍ）の色の視認濃度が異なることが分かる。
【００４２】
（視認濃度の設定）
そこで、図１６は、位置を固定した万線（Ｍ）と凸部（Ｔ）の位相を変化させた場合の視認濃度を示したものである。まず、水準１は、万線（Ｍ）と凸部（Ｔ）の一方の斜面（Ｔａ）を一致させた構成であり、この時の位相θ＝０とする。次に、万線（Ｍ）の位置を固定し、凸部（Ｔ）のみの位相（θ）を下方向（水準２〜水準５）に段階的に変化させていくと、凸部（Ｔ）の一方の傾斜（Ｔａ）の角度と同じ視点（Ｓ１）から観察した場合、万線（Ｍ）の視認濃度が徐々に薄くなっていくことが分かる。なお、凸部（Ｔ）の他方の斜面（Ｔｂ）の角度と同じ視点（Ｓ２）から観察した場合、逆の濃度が視認できる（図示せず）。また、基材（１）を真上から観察した場合は、万線（Ｍ）が規則的に視認できる。
【００４３】
なお、位相（θ）は、凸部（Ｔ）の幅（ＴＷ）の割合で示しており、一方、視認濃度は、万線（Ｍ）の色の視認濃度が高い場合は１００％、視認濃度が低い場合は０％で示している。したがって、万線（Ｍ）と凸部（Ｔ）の位相（θ）を変えることで、所定の視点（Ｓ１）で観察した場合に、視認濃度をコントロールできる。
【００４４】
（本発明の第２の着想）
次に、本発明の「第２の着想」は、潜像画像（２’）に対して、主画像（２ａ’）及び影画像（２ｂ’）を設けること、加えて、「第１の着想」を利用することで、立体的に奥行き感をもった潜像画像（２’）が視認できるため、以降の実施形態で具体的な説明を記載する。
【００４５】
（第１の実施形態）
図１７は、本発明における潜像画像形成体（以下「形成体」という。）の一例を示す平面図である。形成体（１０）は、基材（１）上の一方の面の少なくとも一部に設けられ、形成体（１０）以外の領域には、料額、文字、他の模様等の必要な情報を公知の印刷方式（例えば、オフセット印刷、凹版印刷等）により施してもよい。
【００４６】
図１８（ａ）は、形成体（１０）の拡大図であり、第１の面である主画像部（２ａ）と、第２の面である主画像部（２ａ）に投影的な形状を成して隣接した影画像部（２ｂ）と、背景部（３）とに領域が分かれている。なお、主画像部（２ａ）及び影画像部（２ｂ）は、潜像部（２）であり、所定の視点から観察した場合に、潜像画像（２’）として視認できる。なお、後述する連結画像（４’）も潜像画像（２’）に含まれる。また、本形態では、主画像に「Ｔ」の文字を使用している。ここでいう投影的な形状とは、例えば、主画像である「Ｔ」に対し、所定の位置から照明を当てた場合にできる影の形状のことである。
【００４７】
次に、図１８（ｂ）に示すように、形成体（１０）は、複数の第１の要素が配置されて成る凸部（Ｔ）と、複数の第２の要素が配置されて成る万線（Ｍ）で構成されており、凸部（Ｔ）は基材と同色であり、主画像部（２ａ）、影画像部（２ｂ）及び背景部（３）共に設けている。また、各領域での凸部（Ｔ）の幅（ＴＷ）及びピッチ（ＴＰ）、高さ（ＴＨ）及び方向は同一であるが、凸部（Ｔ）の位相は各領域で異なっている。さらに、影画像部（２ｂ）の位相は、主画像部（２ａ）の位相に対して同一方向にずれている。  なお、ここでの凸部（Ｔ）は、凸部（Ｔ）の頂点のみ図示しており、各領域とは、主画像部（２ａ）、影画像部（２ｂ）、背景部（３）及び後述する連結部（４）をいう。また、本実施形態では、基材（１）に白色の紙を使用し、凸部（Ｔ）は、用紙を製造中にすき入れで設けている。
【００４８】
一方、図１８（ｃ）に示すように、万線（Ｍ）は、基材（１）の色とは異なる色で印刷しており、万線（Ｍ）の幅（ＭＷ）、ピッチ（ＭＰ）、方向は同一である。なお、凸部（Ｔ）と万線（Ｍ）の配置する方向も同一であり、ここでは第１の方向という。
【００４９】
次に、図１９は、図１８（ａ）の点線内を拡大したもので、主画像部（２ａ）、影画像部（２ｂ）及び背景部（３）の凸部（Ｔ）と万線（Ｍ）の位置関係を説明する。
【００５０】
主画像部（２ａ）は、図１６の水準３の構成であり、凸部（Ｔ）の斜面（Ｔａ）及び斜面（Ｔｂ）の上部半分のみに万線（Ｍ）が積層されている。次に、影画像部（２ｂ）は、図１６の水準１の構成であり、凸部（Ｔ）の斜面（Ｔａ）に万線（Ｍ）が積層されている。さらに、背景部（３）は、図１６の水準５の構成であり、凸部（Ｔ）の斜面（Ｔｂ）に万線（Ｍ）が積層されている。したがって、万線（Ｍ）に対して、各領域の凸部（Ｔ）の配置が位相θ分異なっている。具体的には、影画像部（２ｂ）の凸部（Ｔ）に対して、主画像部（２ａ）の凸部（Ｔ）の位相θ＝１／４ＴＷ分、背景部（３）の凸部（Ｔ）の位相θ＝１／２ＴＷ分ずれている。なお、位相θは、プラス方向（上方向）でもマイナス方向（下方向）でも構わない。
【００５１】
（本実施例の作用）
次に、図２０は、図１９の斜視図であり、万線（Ｍ）が主画像部（２ａ）、影画像部（２ｂ）及び背景部（３）の凸部（Ｔ）で異なる位置に積層されていることが分かる。
【００５２】
また、図２１は、図２０の視点（Ｓ１）から観察した場合の潜像画像（２’）であり、潜像画像（２’）のうち、主画像（２ａ’）は「Ｔ」の文字が視認濃度５０％で視認でき、影画像（２ｂ’）は「Ｔ」の文字の背面に視認濃度１００％で視認でき、背景画像（３’）は視認濃度０％で視認できる。このため、互いの画像は濃度差を生じ、かつ、主画像（２ａ’）の後方に影画像（２ｂ’）を設けることで、面として奥行き感をもって認識できるため、立体感のある潜像画像（２’）が投影的に視認できる。なお、形成体（１０）を真上から見た場合では、図１８（ｃ）のように、潜像画像（２’）は視認できず万線（Ｍ）のみが視認できる。一方、視点（Ｓ２）から観察した場合、主画像（２ａ’）の視認濃度は変わらないが、影画像（２ｂ’）は視認濃度０％、背景画像（３’）は視認濃度１００％で視認できるため、視点により視認濃度は異なる（図示せず）。
【００５３】
なお、本発明では、形成体（１０）を所定の視点（Ｓ１）から観察した場合に、主画像（２ａ’）は主画像部（２ａ）が視認できる画像、影画像（２ｂ’）は影画像部（２ｂ）が視認できる画像、背景画像（３’）は背景部（３）が視認できる画像であり、主画像（２ａ’）及び影画像（２ｂ’）で潜像画像（３’）である。また、後述する連結画像（４´）は連結部が視認できる画像をいう。
【００５４】
従来から、万線状の凸部又は凹部と印刷による万線を組み合わせた潜像体は多数出願されているが、先行技術は、所定の視点から観察した場合、潜像画像は平面画像である。一方、本発明では、前述した第１及び第２の着想を用いることで、所定の視点で観察した場合に、主画像が第１の面、影画像が第２の面として潜像画像が立体画像として視認できるため、より真偽判別性が向上するとともに、偽造抵抗力も高く、意匠性も優れた潜像画像形成体を提供できる。
【００５５】
（第１の要素及び第２の要素の構成）
次に、図４、図１９及び図２０を用いて本発明の第１の要素及び第２の要素の構成を説明する。第１の要素の凸部（Ｔ）の幅（ＴＷ）及び高さ（ＴＨ）は０．４ｍｍである。ただし、幅（ＴＷ）及び高さ（ＴＨ）は０．１〜２．０ｍｍの範囲内で、好ましくは０．４〜１．０ｍｍである。
【００５６】
一方、第２の要素の万線（Ｍ）の幅（ＭＷ）は０．２ｍｍ、ピッチ（ＭＰ）は０．４ｍｍである。ただし、万線（Ｍ）の幅（ＭＷ）は０．０５〜１．０ｍｍの範囲内で、好ましくは０．２〜０．５ｍｍであり、ピッチ（ＭＰ）は０．１〜２．０ｍｍの範囲内で、好ましくは０．４〜１．０ｍｍである。なお、万線（Ｍ）の幅（ＭＷ）は、凸部（Ｔ）の幅（ＴＷ）の１／２が好ましく、万線（Ｍ）のピッチ（ＭＰ）は、凸部（Ｔ）のピッチ（ＴＰ）と同一が好適であるが、これに制約されるものではない。
【００５７】
また、本実施形態の各領域の各凸部（Ｔ）の位相（θ）は、影画像部（２ｂ）の凸部（Ｔ）に対し、主画像部（２ａ）の凸部（Ｔ）は０．１ｍｍ、背景部（３）の凸部（Ｔ）は０．２ｍｍずれている。なお、図２２（ａ）〜（ｄ）に凸部（Ｔ）の形態を示すが、三角状、台形状、半球状等の側面を有する形状であれば問題なく、また、凸部（Ｔ）の間に平坦領域を設けても構わない。なお、図２２（ｄ）のように、凸部（Ｔ）の裏面は凹部であり、凹部も２つの斜面を持つため、本実施形態を設けることができ、基材（１）の両面に形成しても構わない。
【００５８】
また、第１の要素の凸部（Ｔ）の形成方法は、公知の方法を選択して使用すればよい。例えば、すき入れによる方法、エンボスによる方法、印刷による方法、レーザ加工方法等が使用できる。一方、第２の要素の万線（Ｍ）の形成方法は、オフセット印刷、凹版印刷、グラビア印刷、インクジェット印刷等の公知の印刷方法、レーザ加工等を用いることができる。
【００５９】
（影画像の設定）
また、図２３（ａ）〜（ｄ）は、主画像部（２ａ）に対して、影画像部（２ｂ）の形態を示している。図２３（ａ）は、主画像部（２ａ）の「Ｔ」に対して、所定に位置から照明（Ｌ１〜Ｌ８）を当てて影画像部（２ｂ）を形成する方向を示している。例えば、照明（Ｌ１）では図２３（ｂ）の影画像部（２ｂ）、照明（Ｌ２）では、図２３（ｃ）の影画像部（２ｂ）、・・・・、照明（Ｌ８）では図２３（ｉ）の影画像部（２ｂ）が形成できる。したがって、影画像部（２ｂ）は、主画像部（２ａ）の背面の縦方向、横方向又は斜め方向のいずれか一方向に投影的に設けることが望ましい。なお、本実施形態は、照明（Ｌ２）から影画像部（２ｂ）を設けている。
【００６０】
また、図２４（ａ）〜（ｅ）は、主画像部（２ａ）に対して、影画像部（２ｂ）の配置を示す図である。図２４（ａ）は、主画像部（２ａ）のみの図であり、図２４（ｂ）〜（ｅ）は、影画像部（２ｂ）を右下方向の一方向に徐々にずらして配置している。この時、図２４（ｅ）のように、縦横方向共に、主画像部（２ａ）と影画像部（２ｂ）が分離してしまうと（空間Ｓを設けると）、２つの主画像（２ａ）が分離し重なったイメージとなり、面としての立体感を損なう。一方、図２４（ｂ）〜（ｄ）のように、主画像部（２ａ）に対して、影画像部（２ｂ）を縦横共に重なる又は接する構成であれば、より面としての立体感を強く感じられるため、このような構成が望ましい。
【００６１】
また、影画像部（２ｂ）は、主画像部（２ａ）の背面に重ねて配置できるため、専用の領域を必要としない。このため、主画像部（２ａ）のサイズを設計する上でも、影画像部（２ｂ）の領域の制約を受けて主画像部（２ａ）のサイズを小さくする必要がないため、潜像画像（２’）の視認性及び設計上の自由度も高い。
【００６２】
（各画像における視認濃度の設定）
次に、所定の視点から観察した場合の形成体（１０）の視認濃度の形態を説明する。本実施形態は、主画像（２ａ’）の視認濃度５０％、影画像（２ｂ’）の視認濃度１００％、背景画像（３’）の視認濃度０％としたが、図２５（ａ）は、主画像（２ａ’）の視認濃度１００％、影画像（２ｂ’）の視認濃度５０％、背景画像（３’）の視認濃度０％、図２５（ｂ）は、主画像（２ａ’）の視認濃度０％、影画像（２ｂ’）の視認濃度１００％、背景画像（３’）の視認濃度５０％、図２５（ｃ）は、主画像（２ａ’）の視認濃度５０％、影画像（２ｂ’）の視認濃度０％、背景画像（３’）の視認濃度１００％とした一例である。
【００６３】
また、視認濃度の設定については、図１６の凸部（Ｔ）と万線（Ｍ）の位置関係により視認濃度をコントロールできるため、適宜選択して使用すればよいが、影画像（２ｂ’）と背景画像（３’）のコントラストが大きい方が、より影画像（２ｂ’）が面として視認しやすく立体感も感じやすい。なお、視認濃度は、０％、５０％、１００％を一例で示したが、図１６に示すように他の視認濃度も設定できる。
【００６４】
（主画像の設定）
また、本実施形態では、潜像画像（２’）の主画像（２ａ’）に文字を使用しているが、文字以外に、数字、記号、マーク、図形等を用いても構わない。さらに、万線（Ｍ）の変わりに、凸部（Ｔ）を隠蔽できれば、破線、波線、文字、数字、記号、図形、マーク等を使用してもよい。
【００６５】
（基材の選定）
次に、本発明における基材（１）は、上質紙、コート紙、アート紙等の紙葉類を用いることができる。ただし、本発明の形成体（１０）は、前述した凸部（Ｔ）が必要であることから、基材（１）の厚みは２０μｍ〜１０００μｍがよく、好ましくは５０μｍ〜３００μｍがよい。さらに、フィルム、プラスチック、それらの複合素材等を用いることもできる。また、基材（１）及び凸部（Ｔ）の色は、白色や黄色等濃度が低い色にし、第２の要素である万線の色を褐色、紫色及び茶色等の濃度が高い色とすれば、コントラストの差によって潜像画像の視認性が高くなるため好適であるが、これに制約されるものではない。
【００６６】
（第２の実施形態）
次に、第２の実施形態の形成体（１０）を説明する。第１の実施形態と同一な構成の説明は省略し、異なる構成のみ説明する。なお、本実施形態は、連結部（４）を加えて、影画像（２ｂ’）の階調性を高くできることが特徴である。
【００６７】
図２６は、第２の実施形態の拡大図である。主画像部（２ａ）及び影画像部（２ｂ）と、影画像部（２ｂ）及び背景部（３）との間にそれぞれ連結部（４）を設けている。主画像部（２ａ）と影画像部（２ｂ）の間に形成される連結部（４）は、主画像部（２ａ）を構成している第１の要素と、影画像部（２ｂ）を構成している第１の要素を連結するための連結部（４）用の第１の要素が複数配置されて成る。連結部（４）用の第１の要素は、隣り合う各凸部（Ｔ）と接しているため傾斜を有して配置されている。同様に、影画像部（２ｂ）と背景部（３）の間に形成される連結部（４）は、影画像部（２ｂ）を構成している第１の要素と、背景部（３）を構成している第１の要素を連結するための連結部（４）用の第１の要素が複数配置されて成る。連結部（４）用の第１の要素は、隣り合う凸部（Ｔ）と接しているため傾斜を有して配置されている。したがって、形成体（１０）の凸部（Ｔ）は、レリーフ状に繋がっている。
【００６８】
次に、図２７及び図２８は、図２６の斜視図であり、図２７は凸部（Ｔ）のみの斜視図、図２８は凸部（Ｔ）の上に万線（Ｍ）を重ねた際の斜視図である。万線（Ｍ）は、各領域の凸部（Ｔ）で異なる位置に積層していることが分かる。なお、各領域の凸部（Ｔ）と万線（Ｍ）は平行であるが、一方、連結部（４）の凸部（Ｔ）は斜め方向のため、万線（Ｍ）とは交差している。
【００６９】
また、図２９は、図２８の視点（Ｓ１）から観察した場合の潜像画像（２’）であり、潜像画像（２’）のうち、主画像（２ａ’）は視認濃度５０％、影画像（２ｂ’）は視認濃度１００％、背景画像（３）は視認濃度０％で視認できる。加えて、主画像（２ａ’）と影画像（２ｂ’）の間の連結画像（４’）の視認濃度は、主画像（２ａ’）よりも高く、影画像（２ｂ’）よりも低く視認できる。一方、影画像（２ｂ’）と背景画像（３）の間の連結画像（４）は、影画像（２ｂ’）よりも高く、背景画像（３’）よりも低く視認できる。なお、連結画像（４’）は、連結部（４）の凸部と万線（Ｍ）が交差しているため、主画像（２ａ’）、影画像（２ｂ’）及び背景画像（３’）とは、異なる視認濃度で視認できる。
【００７０】
この結果、潜像画像（２’）の影画像（２ｂ’）に連結画像（４’）を加えることで、第１の実施形態と比較して、視認濃度が多階調の潜像画像（２’）として視認でき、より高度な真偽判別が提供できる。また、凸部（Ｔ）も複雑となるため、偽造抵抗力も高い。
【００７１】
（第３の実施形態）
次に、第３の実施形態の形成体（１０）を説明する。第１の実施形態と同一な構成の説明は省略し、異なる構成のみ説明する。なお、本実施形態は、凸部（Ｔ）と万線（Ｍ）の方向を異ならせることで、特に、主画像（２ａ’）及び背景画像（３’）に階調を付与できることが特徴である。
【００７２】
図３０は、第３の実施形態の拡大図であり、第１の実施形態と異なる構成は、万線（Ｍ）の方向のみである。このとき、凸部（Ｔ）の配置する方向を第１の方向、万線（Ｍ）の配置する、第１の方向とは異なる方向を第２の方向とすると、第１と第２の方向は異なっており、異なる角度（ｄ）は自由に選択できる。
【００７３】
次に、図３１は、図３０の斜視図であり、万線（Ｍ）は、各領域の凸部（Ｔ）で異なる位置に積層していることが分かる。なお、第１と第２の方向が異なるため、各領域の凸部（Ｔ）と万線（Ｍ）とは異なる位置に交差している。
【００７４】
また、図３２は、図３１の視点（Ｓ１）から観察した場合の潜像画像（２’）であり、主画像（２ａ’）及び背景画像（３’）は階調のある画像、影画像（２ｂ’）のうち、縦方向の領域は視認濃度１００％、横方向の領域は階調のある画像として視認できる。なお、階調のある画像とは、グラデーションのように視認濃度が徐々に変化する画像をいう。影画像（２ｂ’）の縦方向の領域は、横方向の領域が狭いため、厳密にいえば階調の変化はあるものの、目視では階調を識別できずベタ画像として視認される。
【００７５】
また、第１と第２の方向の異なる角度（ｄ）は、０．５〜３０度の範囲で、０．５〜５度で好ましい。本実施形態は、角度（ｄ）が小さい例であり、具体的には、２度で設定しており、この場合は、干渉縞のようなグラデーションが横方向に広く視認できる。一方、角度（ｄ）を広げていくとともに、グラデーションの横方向の幅も狭くなり、かつ、グラデーションの数も増加するため、適宜、選択して使用すればよい（図示せず）。なお、このメカニズムは、透明の２枚の万線フィルムを重ねることで、容易にグラデーションを伴う干渉縞が発生することと同様である。
【００７６】
このように、第１と第２の方向を異ならせることで、第１の実施形態と比較して、潜像画像（２’）、背景画像（３’）が階調のある画像として視認でき、更に高度な真偽判別が提供でき、意匠性も向上する。なお、第１と第２の実施形態を組み合わせて実施しても構わない。
【００７７】
（第４の実施形態）
次に、第４の実施形態の形成体（１０）を説明する。第１の実施形態と同一な構成の説明は省略し、異なる構成のみ説明する。なお、本実施形態は、万線（Ｍ）の色を多色にすることで、特に、色彩豊かな潜像が視認できることが特徴である。
【００７８】
図３３は、第４の実施形態の拡大図であり、第１の実施形態と異なる構成は、万線（Ｍ）の色を多色にした点のみである。第４の実施形態では、２色で形成した場合で説明する。このとき、第１の色の万線（Ｍａ）は、凸部（Ｔ）のピッチ（ＴＰ）と同じピッチで配置され、第２の色の万線（Ｍｂ）も凸部（Ｔ）のピッチ（ＴＰ）と同じピッチで配置され、第１の色の万線（Ｍａ）と第２の色の万線（Ｍｂ）は交互に複数配置されて成る。
【００７９】
次に、図３４は、図３３の斜視図であり、第１の色の万線（Ｍａ）と第２の色の万線（Ｍｂ）は、各領域の凸部（Ｔ）で異なる位置に積層していることが分かる。
【００８０】
また、図３５は、図３４の視点（Ｓ１）から観察した場合の潜像画像（２’）であり、潜像画像（２’）のうち、背景画像（３’）は第１の色（Ｍａ）で視認でき、影画像（２ｂ’）は第２の色（Ｍｂ）で視認でき、影画像（２ｂ’）は第１の色（Ｍａ）と第２の色（Ｍｂ）の混色で視認できる。一方、視点（Ｓ２）から観察した場合、視点（Ｓ１）から観察した場合と色が逆転する。つまり、背景画像（３’）は第２の色（Ｍｂ）で視認でき、影画像（２ｂ’）は第１の色（Ｍａ）で視認でき、影画像（２ｂ’）は第１の色（Ｍａ）と第２の色（Ｍｂ）の混色で視認できる（図示せず）。
【００８１】
色については、２色の場合で説明したが、これに限定されず、複数色でもよい。
【００８２】
なお、本発明の潜像画像形成体は、主に、銀行券、旅券、株券、商品券、収入印紙、各種チケット、その他の有価証券等のセキュリティ製品に利用できる。
【符号の説明】
【００８３】
１      基材
２      潜像画像部
２’    潜像画像
２ａ    主画像部
２ａ’  主画像
２ｂ    影画像部
２ｂ’  影画像
３      背景部
３’    背景画像
４      連結部
４’    連結画像
１０    潜像画像形成体
Ｔ      凸部
Ｔａ    凸部の斜面
Ｔｂ    凸部の斜面
ＴＰ    凸部のピッチ
ＴＷ    凸部の幅
ＴＨ    凸部の高さ
θ      凸部の位相（ずれ量）
Ｍ      万線
ＭＰ    万線のピッチ
ＭＷ    万線の幅
ｄ      第１と第２の方向の角度
Ｓ１    所定の視点
Ｓ２    所定の視点
Ｓ      空間（スペース）
【図１】
2020097147.tif 000003
【図２】
2020097147.tif 000004
【図３】
2020097147.tif 000005
【図４】
2020097147.tif 000006
【図５】
2020097147.tif 000007
【図６】
2020097147.tif 000008
【図７】
2020097147.tif 000009
【図８】
2020097147.tif 000010
【図９】
2020097147.tif 000011
【図１０】
2020097147.tif 000012
【図１１】
2020097147.tif 000013
【図１２】
2020097147.tif 000014
【図１３】
2020097147.tif 000015
【図１４】
2020097147.tif 000016
【図１５】
2020097147.tif 000017
【図１６】
2020097147.tif 000018
【図１７】
2020097147.tif 000019
【図１８】
2020097147.tif 000020
【図１９】
2020097147.tif 000021
【図２０】
2020097147.tif 000022
【図２１】
2020097147.tif 000023
【図２２】
2020097147.tif 000024
【図２３】
2020097147.tif 000025
【図２４】
2020097147.tif 000026
【図２５】
2020097147.tif 000027
【図２６】
2020097147.tif 000028
【図２７】
2020097147.tif 000029
【図２８】
2020097147.tif 000030
【図２９】
2020097147.tif 000031
【図３０】
2020097147.tif 000032
【図３１】
2020097147.tif 000033
【図３２】
2020097147.tif 000034
【図３３】
2020097147.tif 000035
【図３４】
2020097147.tif 000036
【図３５】
2020097147.tif 000037